(57)【要約】【課題】  パワフル運転時における空気調和された空気の吹き出し方向を制御可能な空気調和機およびその制御方法を提供する。【解決手段】  空気調和機１は、制御部６０を備えている。制御部６０は、圧縮機２１、四路切換弁２２、減圧器２５、ＲＯＭ４１、ＲＡＭ４２、ファンモータ１３、フラップモータ１４６、温度センサ４３および赤外線センサ４４と接続されている。制御部６０は、圧縮機２１、四路切換弁２２、減圧器２５、ファンモータ１３およびフラップモータ１４６の制御を行う。制御部６０は、リモコン４０からパワフル運転を行う指示入力がされると、一時的にクロスフローファン１２の回転速度や圧縮機２１の運転周波数等を上げて、空気調和処理能力を向上させるとともに、室内に居る人の方向に向かって空気調和された空気が吹き出すように水平フラップ１４４の向きを制御している。【選択図】      図７
2005331240.tif 000002
【特許請求の範囲】
【請求項１】
室内の空気に対して空気調和処理を行う空気調和機構（１１，１２，２１）と、
前記空気調和された空気の吹き出し方向を調整する風向調整板（１４４）と、
前記空気調和機構（１１，１２，２１）の処理能力を一時的に上昇させるパワフル運転を行うことが可能である制御部（６０）と、
を備え、
前記制御部（６０）は、前記パワフル運転の指示入力がなされると、人が居る方向を含むように前記風向調整板（１４４）をスイングする、
空気調和機（１）。
【請求項２】
前記制御部は、前記パワフル運転の指示入力がなされると、人が居る方向を含むように前記風向調整板（１４４）のスイング範囲を変更する、
請求項１に記載の空気調和機（１）。
【請求項３】
前記制御部は、冷房運転時において、通常運転時には前記風向調整板を略水平方向付近でスイングさせ、前記パワフル運転の指示入力がなされると人が居る方向を含むように前記風向調整板のスイング範囲を変更する、
請求項２に記載の空気調和機（１）。
【請求項４】
前記パワフル運転時における前記風向調整板のスイング範囲の設定値を記憶する記憶部をさらに備え、
前記制御部は、前記設定値に従って前記風向調整板のスイング範囲を制御する、
請求項１から３のいずれか１項に記載の空気調和機（１）。
【請求項５】
前記人を感知するセンサ（４４）をさらに備え、
前記制御部は、前記センサからの情報に基づいて前記風向調整板のスイング範囲を制御する、
請求項１から３のいずれか１項に記載の空気調和機（１）。
【請求項６】
前記パワフル運転を行う時間を制限するタイマ（４５）をさらに備えた、
請求項１から５のいずれか１項に記載の空気調和機（１）。
【請求項７】
前記タイマ（４５）には、前記パワフル運転中に前記風向調整板（１４４）を停止させる時間が設定されている、
請求項６に記載の空気調和機（１）。
【請求項８】
前記風向調整板（１４４）は、上下フラップである、
請求項１から７のいずれか１項に記載の空気調和機（１）。
【請求項９】
前記風向調整板（１４４）は、上下フラップおよび垂直フラップである、
請求項１から７のいずれか１項に記載の空気調和機（１）。
【請求項１０】
室内の空気に対して空気調和処理を行う空気調和機構（１１，１２，２１）と、前記空気調和された空気の吹き出し方向を調整する風向調整板（１４４）とを備え、前記空気調和機構（１１，１２，２１）の処理能力を一時的に上昇させるパワフル運転を行うことが可能である空気調和機（１）の制御方法であって、
前記パワフル運転の指示入力がなされると、人が居る方向に空気が吹き出すように前記風向調整板（１４４）の向きを制御する、
空気調和機（１）の制御方法。
【請求項１１】
前記パワフル運転の指示入力がなされると、人が居る方向を含むように前記風向調整板（１４４）をスイングする、
請求項１０に記載の空気調和機（１）の制御方法。
【請求項１２】
前記パワフル運転の指示入力がなされると、人が居る方向を含むように前記風向調整板（１４４）のスイング範囲を変更する、
請求項１１に記載の空気調和機（１）の制御方法。
【発明の詳細な説明】
【技術分野】
【０００１】
本発明は、ファンの回転数や圧縮機の運転周波数等を一時的に上昇させて、空気調和処理能力を向上させるパワフル運転を行うことが可能な空気調和機およびその制御方法に関する。
【背景技術】
【０００２】
従来より、住宅・ビル等に設置され、調和された空気を室内に送風することにより室内の快適性を向上させる空気調和機が知られている。このような空気調和機は、冷風や温風を室内に送風することにより室内の温度を居住者にとって快適な温度に保ち、室内の快適性を向上させている。
空気調和機は、空気調和を行う室内に設置された空調室内機と、屋外に設置された空調室外機とを備えている。そして、空調室内機と空調室外機との間は冷媒配管によって接続されており、冷媒配管を流れる冷媒と室内空気との間で熱交換を行わせることで空気調和を行う。
【０００３】
このような空気調和機の中でも、特に、冷房運転あるいは暖房運転時等において、ユーザからの指示入力により圧縮機の運転周波数やファン回転数等を一時的に上げて空気調和処理能力を向上させる、いわゆるパワフル運転を行うものがある。リモコン等によりパワフル運転を指示入力することで、その時点で運転されている、例えば、冷暖房の空気調和処理能力を一時的に上昇させることができる。
【特許文献１】特開平７−１０３５５１号公報（平成７年４月１８日公開）
【発明の開示】
【発明が解決しようとする課題】
【０００４】
しかしながら、上記従来の空気調和機では、以下に示すような問題点を有している。
すなわち、上記従来の空気調和機では、パワフル運転を行う旨の指示入力がされると、上述のように、圧縮機の運転周波数やファンの回転数等を上げるように制御されて空気調和処理能力を向上させている。しかし、このときの空気調和された空気の吹き出し方向については何ら制御されておらず、パワフル運転の指示入力がされる直前の風向調整板の向きの成り行きで空気の吹き出し方向が決定されていた。
【０００５】
このため、例えば、冷房時にパワフル運転の指示入力がされた場合には、通常の冷房運転時よりも冷たい空気が大量に室内へ供給されるが、この空気が人が居る方向とは全く異なる方向に供給されると、ユーザはパワフル運転がされていることを実感することができない。
本発明の課題は、パワフル運転時における空気調和された空気の吹き出し方向を制御可能な空気調和機およびその制御方法を提供することにある。
【課題を解決するための手段】
【０００６】
第１発明に係る空気調和機は、室内の空気に対して空気調和処理を行う空気調和機構と、空気調和された空気の吹き出し方向を調整する風向調整板と、空気調和機構の処理能力を一時的に上昇させるパワフル運転を行うことが可能である制御部とを備えている。そして、制御部は、パワフル運転の指示入力がなされると、人が居る方向を含むように風向調整板をスイングする。
【０００７】
ここでは、制御部が、パワフル運転の指示入力がなされると、圧縮機やファン等を含む空気調和機構の処理能力を上昇させるだけでなく、室内へ吹き出される空気調和された空気の吹き出し方向についても制御するようになっている。
従来の空気調和機では、パワフル運転時には空気調和機構の処理能力を一時的に向上させるのみであり、その際の空気の吹き出し方向については制御の対象となっていなかった。このため、パワフル運転の指示入力が行われる直前の風向調整板の向きの成り行きでパワフル運転時の風向調整板の向きが決まっていた。よって、例えば、同じ冷房時にパワフル運転を実行した場合であっても、その直前の運転状況によって風向調整板の向きが異なるようなこともあった。
【０００８】
そこで、本発明の空気調和機では、パワフル運転時においても風向調整板の向きを制御することで、以下に示すような効果を得ることができる。
すなわち、本発明の空気調和機では、パワフル運転の指示入力がされると人の居る方向に向かって空気調和された空気が吹き出されるように風向調整板の向きが制御される。これにより、パワフル運転の指示入力を行ったユーザは、空気調和機構の処理能力が上がった状態で空気調和された空気を直接受けることで、パワフル運転のパワフル感を実感することができる。
【０００９】
第２発明に係る空気調和機は、第１発明に係る空気調和機であって、制御部は、パワフル運転の指示入力がなされると、人が居る方向を含むように風向調整板のスイング範囲を変更する。
ここでは、風向調整板がスイング中にパワフル運転が設定された場合でも、その範囲が人に風が当たる範囲のスイング範囲に変更される。これにより、パワフル運転前には直接人に対して空気を吹き出していなかった場合でも、パワフル運転の設定により直接人に対して空気が吹き出されるため、パワフル感を感じさせることができる。
【００１０】
第３発明に係る空気調和機は、第２発明に係る空気調和機であって、制御部は、冷房運転時において、通常運転時には風向調整板を略水平方向付近でスイングさせ、パワフル運転の指示入力がなされると人が居る方向を含むように風向調整板のスイング範囲を変更する。
【００１１】
第４発明に係る空気調和機は、第１発明から第３発明のいずれかに係る空気調和機であって、記憶部をさらに備える。記憶部には、パワフル運転時における風向調整板のスイング範囲の設定値が記憶される。そして、制御部は、設定値に従って風向調整板のスイング範囲を制御する。
ここでは、制御部が、設定値に従って風向調整板のスイング範囲を制御する。このため、人検知のための赤外線センサ等を用いる必要がない。
【００１２】
第５発明に係る空気調和機は、第１発明から第３発明のいずれかに係る空気調和機であって、人を感知するセンサをさらに備える。そして、制御部は、センサからの情報に基づいて風向調整板のスイング範囲を制御する。
ここでは、室内に居る人を感知するセンサをさらに備えている。これにより、パワフル運転時には確実に人に当たるように風向きを調整することができる。
【００１３】
第６発明に係る空気調和機は、第１発明から第５発明のいずれかに係る空気調和機であって、パワフル運転を行う時間を制限するタイマをさらに備えている。
ここでは、パワフル運転を行う時間を制限するタイマをさらに備えている。これにより、一時的に冷暖房等の空気調和処理能力を向上させることができる。また、連続運転時に風向調整板が吹き出し口付近に結露を生じさせそうな向きに調整された場合でも、タイマによってパワフル運転を行う時間を制限する。これにより、吹き出し口付近に結露が発生することを確実に防止できる。
【００１４】
第７発明に係る空気調和機は、第６発明に係る空気調和機であって、タイマには、パワフル運転中に風向調整板を停止させる時間が設定されている。
ここでは、タイマにパワフル運転中に風向調整板を所定の角度で停止させる時間が設定されている。このため、パワフル運転中に所定時間が経過すると風向調整板を人が居る方向を含む範囲でスイングさせることができる。
【００１５】
第８発明に係る空気調和機は、第１発明から第７発明のいずれかに係る空気調和機であって、風向調整板は、上下フラップである。
ここでは、風向調整板のうちの上下フラップの向きを制御して人に当てるか否かを決定する。このため、吹き出し方向を上下に振るだけで、容易に人に当てる向きに風向調整板を調整できる。
【００１６】
第９発明に係る空気調和機は、第１発明から第７発明のいずれかに係る空気調和機であって、風向調整板は、上下フラップおよび垂直フラップである。
【００１７】
第１０発明に係る空気調和機の制御方法は、室内の空気に対して空気調和処理を行う空気調和機構と、空気の吹き出し方向を調整する風向調整板とを備え、空気調和機構の処理能力を一時的に上昇させるパワフル運転を行うことが可能である空気調和機の制御方法である。そして、パワフル運転の指示入力がなされると、人が居る方向に空気が吹き出すように風向調整板の向きが制御される。
ここでは、制御部が、パワフル運転の指示入力がなされると、圧縮機やファン等を含む空気調和機構の処理能力を上昇させるだけでなく、室内へ吹き出される空気調和された空気の吹き出し方向についても制御するようになっている。
従来の空気調和機の制御方法では、パワフル運転時には空気調和機構の処理能力を一時的に向上させるのみであり、その際の空気の吹き出し方向については制御の対象となっていなかった。このため、パワフル運転の指示入力が行われる直前の風向調整板の向きからの成り行きでパワフル運転時の風向調整板の向きが決まっていた。よって、例えば、同じ冷房時にパワフル運転を実行した場合であっても、その直前の運転状況によって風向調整板の向きが異なることもあった。
そこで、本発明の空気調和機の制御方法では、パワフル運転時においても風向調整板の向きを制御することで、以下に示すような効果を得ることができる。
すなわち、本発明の空気調和機の制御方法では、パワフル運転の指示入力がされると人の居る方向に向かって空気調和された空気を吹き出すように風向調整板の向きが制御される。これにより、パワフル運転の指示入力を行ったユーザは、処理能力が上がった状態で空気調和された空気を直接受けることで、パワフル運転のパワフル感を実感することができる。
【００１８】
第１１発明に係る空気調和機の制御方法は、第１０発明に係る空気調和機の制御方法であって、パワフル運転の指示入力がなされると、人が居る方向を含むように風向調整板をスイングする。
ここでは、パワフル運転の指示入力がされると人の居る方向に向かって空気調和された空気を吹き出すように風向調整板の向きが制御される。これにより、パワフル運転の指示入力を行ったユーザは、処理能力が上がった状態で空気調和された空気を直接受けることで、パワフル運転のパワフル感を実感することができる。
【００１９】
第１２発明に係る空気調和機の制御方法は、第１１発明に係る空気調和機の制御方法であって、パワフル運転の指示入力がなされると、人が居る方向を含むように風向調整板のスイング範囲を変更する。
ここでは、風向調整板がスイング中にパワフル運転が設定された場合でも、その範囲が人に風が当たる範囲のスイング範囲に変更される。これにより、パワフル運転前には直接人に対して空気を吹き出していなかった場合でも、パワフル運転の設定により直接人に対して空気が吹き出されるため、パワフル感を感じさせることができる。
【発明の効果】
【００２０】
第１発明に係る空気調和機によれば、パワフル運転の指示入力を行ったユーザは、空気調和機構の処理能力が上がった状態で空気調和された空気を直接受けることで、パワフル運転のパワフル感を実感することができる。
第２発明に係る空気調和機によれば、風向調整板がスイング中にパワフル運転が設定された場合でも、その範囲を人に風が当たる範囲のスイング範囲に変更することで、人に対してパワフル感を与えることができる。
【００２１】
第４発明に係る空気調和機によれば、人検知のための赤外線センサ等を用いる必要がない。
第５発明に係る空気調和機によれば、人感知センサを備えていることで、パワフル運転時には確実に人に当たるように風向きを調整することができる。
第６に係る空気調和機によれば、タイマによってパワフル運転を行う時間を制限することで、一時的に冷暖房等の空気調和処理能力を向上させることができる。また、吹き出し口付近に結露が発生することを確実に防止できる。
【００２２】
第７発明に係る空気調和機によれば、パワフル運転中に所定時間が経過すると風向調整板を人が居る方向を含む範囲でスイングさせることができる。
第８発明に係る空気調和機によれば、上下フラップの向きを制御して人に当てるか否かを決定するため、吹き出し方向を上下に振るだけで、容易に人に当てる向きに風向調整板を調整できる。
【００２３】
第１０発明に係る空気調和機の制御方法によれば、パワフル運転の指示入力を行ったユーザは、処理能力が上がった状態で空気調和された空気を直接受けることで、パワフル運転のパワフル感を実感することができる。
第１１発明に係る空気調和機の制御方法によれば、パワフル運転の指示入力を行ったユーザは、処理能力が上がった状態で空気調和された空気を直接受けることで、パワフル運転のパワフル感を実感することができる。
【００２４】
第１２発明に係る空気調和機の制御方法によれば、風向調整板がスイング中にパワフル運転が設定された場合でも、その範囲を人に風が当たる範囲のスイング範囲に変更することで、人に対してパワフル感を与えることができる。
【発明を実施するための最良の形態】
【００２５】
＜空気調和機の構成＞
図１に本発明の一実施の形態が採用される空気調和機１の外観図を示す。
空気調和機１は、冷暖房や除湿などが行われた調和空気を室内に送風し、室内の空気の調和を行う装置である。この空気調和機１は、室内の壁面上部に取り付けられる室内機２と、室外に設置される室外機３と備えている。室外機３は、室外熱交換器（空気調和機構）や室外ファン（空気調和機構）などを収納する室外空調ユニット５を備えている。
【００２６】
室内機２内には室内熱交換器（空気調和機構）が収納され、室外空調ユニット５内には室外熱交換器が収納されており、各熱交換器およびこれらの熱交換器を接続する冷媒配管６が、冷媒回路を構成している。
空気調和機１で用いられる冷媒回路の系統図を図２に示す。
室内機２内には、室内熱交換器１１が設けられている。この室内熱交換器１１は、長手方向両端で複数回折り返されている伝熱管と、伝熱管が挿し通される複数のフィンとから構成される。この室内熱交換器１１は、接触する空気との間で熱交換を行う。
【００２７】
また、室内機２内には、室内空気を吸い込んで室内熱交換器１１との間で熱交換を行った後の空気を室内に吹き出すためのクロスフローファン（空気調和機構）１２が設けられている。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられるファンモータ１３によって回転駆動される。
【００２８】
室外空調ユニット５には、圧縮機（空気調和機構）２１と、四路切換弁２２と、アキュムレータ２３と、室外熱交換器２４と、減圧器２５とが設けられている（図２参照）。四路切換弁２２は、圧縮機２１の吐出側に接続される。アキュムレータ２３は、圧縮機２１の吸入側に接続される。室外熱交換器２４は、四路切換弁２２に接続される。減圧器２５は、室外熱交換器２４に接続された電動膨張弁である。また、減圧器２５は、フィルタ２６および液閉鎖弁２７を介して配管３１に接続されており、配管３１を介して室内熱交換器１１の一端と接続される。さらに、四路切換弁２２は、ガス閉鎖弁２８を介して配管３２に接続されており、この配管３２を介して室内熱交換器１１の他端と接続されている。この配管３１，３２は図１の冷媒配管６に相当する。
【００２９】
室内機２の断面図を図３に示す。前述した室内熱交換器１１とクロスフローファン１２とは、室内機２のケーシング１４内に収容されている。室内熱交換器１１は、クロスフローファン１２の前方、上方および後部上方を取り囲むように取り付けられている。室内熱交換器１１は、クロスフローファン１２の駆動により吸い込み口１４２から吸い込まれた空気をクロスフローファン１２側に通過させ、伝熱管内部を通過する冷媒との間で熱交換を行わせる。
【００３０】
また、室内熱交換器１１の下方には、熱交換時に室内熱交換器１１の表面に発生する水滴を受けるためのドレンパン１４１が設けられている。このドレンパン１４１には、受けた水滴を外部に排出するためのドレンホース（図示せず）が取り付けられている。ドレンパン１４１は、このような水滴を受けて水滴をドレンホースによって排水するように構成されている。
【００３１】
ケーシング１４の上部には、複数のスリット状の開口からなる吸い込み口１４２が設けられている。ケーシング１４の下部には、室内機２の長手方向に長い開口からなる吹き出し口１４３が設けられている。また、吹き出し口１４３には、クロスフローファン１２により室内へと送風される空気の吹き出し方向を決定するための水平フラップ（上下フラップ）１４４が設けられている。この水平フラップ１４４は、室内機２の長手方向に平行な軸１４５を中心に回動自在に設けられている。水平フラップ１４４は、後述するフラップモータ１４６（図７参照）によって回動されることにより、空気の吹き出し方向を決定することができる。図４に示されるように、水平フラップ１４４の端部１４４ａが略水平方向を向く場合には、調和後の空気は略水平方向に吹き出される。また、図５に示されるように、水平フラップ１４４の端部１４４ａが略鉛直下方向に向く場合には、調和後の空気は略鉛直下方向に吹き出される。さらに、図６に示されるように、空気調和機１の運転停止時には、水平フラップ１４４の端部１４４ａは、ケーシング１４の端部に接する。この場合には、水平フラップ１４４は、吹き出し口１４３をほぼ完全に覆う。
【００３２】
室外空調ユニット５内には、室外熱交換器２４での熱交換後の空気を外部に排出するためのプロペラファン２９が設けられている。このプロペラファン２９は、プロペラファンモータ３０によって回転駆動される。
＜制御部＞
空気調和機１には、さらに、制御部６０が設けられている。
【００３３】
制御部６０は、図７に示すように、圧縮機２１、四路切換弁２２、減圧器２５、ＲＯＭ４１、ＲＡＭ４２、ファンモータ１３、フラップモータ１４６、温度センサ４３および赤外線センサ４４と接続されている。また、制御部６０は、リモコン４０との間で通信を行い、プログラム内部で働くタイマ４５によってパワフル運転の時間を制限する。さらに、制御部６０は、圧縮機２１、四路切換弁２２、減圧器２５、ファンモータ１３およびフラップモータ１４６の制御を行う。
【００３４】
ＲＯＭ４１には、制御プログラムや各種パラメータが格納される。ＲＯＭ４１には、さらに、各種設定時における設定風量やパワフル運転設定時における水平フラップ１４４の位置、スイング範囲等が格納されている。
設定風量は、吹き出し口１４３から吹き出される空気の風量を決定する運転風量であり、具体的には、「しずか」、「微風」、「微弱」、「弱風」、「弱強」、「強風」のいずれかである。「しずか」が最も風量が小さい運転風量を示し、「強風」が最も風量が大きい運転風量を示す。制御部６０は、後述するリモコン４０からの信号を元に設定風量のいずれか一つを選択し、選択された設定風量をＲＡＭ４２に格納する。そして、制御部６０は、選択された設定風量に応じた量の調和後の空気を室内に送風するように、ファンモータ１３を回転させる。
【００３５】
リモコン４０は、在室者の指示を空気調和機１に伝え空気調和機１を在室者の要望に応じて稼働させるための操作装置である。在室者は、リモコン４０を用いて、室温の設定、水平フラップ１４４のスイング機能のＯＮ／ＯＦＦおよびスイングモードの選択、パワフル運転の指示入力等を行うことができる。
ここで、パワフル運転とは、ユーザからの指示入力により、一時的にクロスフローファン１２の回転数や圧縮機２１の運転周波数等を上げることで、一時的に空気調和処理能力を向上させることができるものである。なお、このパワフル運転については後段にて詳述する。
【００３６】
これらの指示は、リモコン４０から制御部６０に対して送信され、各構成の制御に用いられる。また、これらの指示は、赤外線センサ４４による人感知結果（人の居る方向に関する情報）とともに、制御部６０からＲＡＭ４２に対して送信され、ＲＡＭ４２に格納される。
さらに、リモコン４０を用いて、空気調和機１の稼働による目標温度Ｔを設定することができる。この目標温度Ｔは、リモコン４０から制御部６０に対して送信され、各構成の制御に用いられる。また、この目標温度Ｔは、制御部６０からＲＡＭ４２に対して送られ、ＲＡＭ４２に格納される。例えば、冷房運転時において室温が目標温度Ｔより所定の温度（ｔ１）以上下回った場合には、制御部６０は、空気調和機１の消費エネルギを抑制するために圧縮機２１の運転を停止させる。一方、圧縮機２１の停止により、室温が目標温度Ｔを所定の温度ｔ２以上上回った場合には、制御部６０は、再度、圧縮機２１を運転させる。
【００３７】
温度センサ４３は、室内機２に設けられ、室内温度を計測する。温度センサ４３は、計測した室温を制御部６０に対して送信する。
赤外線センサ（センサ）４４は、室内機２の表面付近に設けられており、室内に居る人を感知する人感知センサである。この赤外線センサ４４は、感知した人が居る方向についての情報を制御部６０へ送信する。なお、赤外線センサ４４を用いた人感知については、常時感知するように行ってもよいし、所定時間ごとに行ってもよい。
【００３８】
＜本空気調和機によるパワフル運転＞
以下で、冷房運転および暖房運転時における空気調和機１のパワフル運転について説明する。
例えば、ユーザが冷房運転時にリモコン４０からパワフル運転を行うように指示入力すると、空気調和機1の制御部６０は、空気調和処理能力を向上させるために、クロスフローファン１２の回転数を上げるようにファンモータ１３を制御するとともに、圧縮機２１の運転周波数を制御する。
【００３９】
本実施形態の空気調和機１では、特に、パワフル運転の指示入力を受けた場合には上記の制御に加えて、制御部６０が水平フラップ１４４の向きを制御する。例えば、通常の冷房運転時には、図８（ａ）に示すように略水平方向に空気調和された空気を室内Ｓへ吹き出す。ここで、パワフル運転の指示入力があると、赤外線センサ４４からの感知結果に応じて、図８（ｂ）に示すように、人の居る方向に室内熱交換器１１によって熱交換された空気を吹き出すようにフラップモータ１４６を制御して水平フラップ１４４の向きを調整する。
【００４０】
これにより、パワフル運転の指示入力がされる前の運転時において水平フラップ１４４がどの方向に向いていたとしても、パワフル運転の指示入力がされると常に人のいる向きに水平フラップ１４４の向きが変わるように制御される。よって、ユーザは、パワフル運転の指示入力により、空気調和された空気を直接受けることでパワフル運転によるパワフル感を実感することができる。
【００４１】
このようなパワフル運転は、暖房運転時においても同様に行われる。
また、パワフル運転は、一時的に空気調和機１の空気調和処理能力を高めるものであり、パワフル運転を行う時間はタイマ４５によって制限される。このタイマ４５は、ユーザからのパワフル運転指示入力を制御部６０が受信してから時間を計測し始め、所定の時間がきたら制御部６０に信号を送信する。制御部６０は、タイマ４５から信号を受信すると、元の通常運転状態に戻すようにファンモータ１３、圧縮機２１およびフラップモータ１４６を制御し、パワフル運転を終了させて通常の運転状態に戻す。
【００４２】
なお、本実施形態の空気調和機１では、タイマ４５に、冷房パワフル運転時に吹き出し口１４３付近に直接空気が吹き出された場合でも吹き出し口１４３付近で結露しないような時間が設定時間として入力されている。
これにより、冷房パワフル運転中に水平フラップ１４４がどの方向を向いた場合でも、吹き出し口１４３付近で結露が発生するという問題を、時間制限を設けることで確実に防止できる。
［本空気調和機の特徴］
（１）
本実施形態の空気調和機１は、リモコン４０からパワフル運転を行う指示入力がされると、一時的にクロスフローファン１２の回転速度や圧縮機２１の運転周波数等を上げて空気調和処理能力を向上させるとともに、その風向きまで制御している。
【００４３】
従来の空気調和機でも、このような一時的に処理能力を上昇させるような指示入力がされると、ファンの回転数や圧縮機の運転周波数等を上げることは行われていた。しかし、このとき室内に供給される空気の吹き出し方向までは制御されていなかったため、パワフル運転の指示入力がある直前の水平フラップの向きの成り行きで風向きが決められていた。
【００４４】
そこで、本実施形態の空気調和機１では、一時的に処理能力を高める、いわゆるパワフル運転時においても水平フラップ１４４の向きを制御することで、運転能力が上がった状態で空気調和された空気を所望の方向へ吹き出すことができる。
特に、本実施形態の空気調和機１では、室内に居る人の方向に向かって空気調和された空気を吹き出すように水平フラップ１４４の向きを制御している。
【００４５】
これにより、ユーザによりパワフル運転の設定がされると、ユーザに向かって空気調和された空気が吹き出すため、ユーザはパワフル運転時のパワフル感を実感することができる。
（２）
本実施形態の空気調和機１は、赤外線センサ４４を用いて室内における人が居る方向を感知している。
【００４６】
これにより、室内のどの位置に人が居る場合でも、確実に人に直接風が当たるように水平フラップ１４４の向きを調整することができる。
（３）
本実施形態の空気調和機１は、パワフル運転の指示入力がされると、水平フラップ１４４の向きを固定して、人が居る方向に空気調和された空気を吹き出している。
【００４７】
これにより、室内に居るユーザに対して、確実にパワフル運転時におけるパワフル感を感じさせることができる。
（４）
本実施形態の空気調和機１は、タイマ４５を用いてパワフル運転を行う時間を制限している。
【００４８】
これにより、パワフル運転を一時的に空気調和処理能力を上昇させるものとして制御することが可能になる。
（５）
本実施形態の空気調和機１は、タイマ４５の設定時間を室内機２の吹き出し口１４３付近に結露が生じないような時間に設定されている。
【００４９】
通常、冷房時におけるパワフル運転において、人の居る方向に水平フラップ１４４を向けると、吹き出し口付近にも空気調和された空気が当たることがある。このような場合、そのまま長時間冷たい空気を吹き出し続けると、吹き出し口付近に結露してしまう可能性がある。
そこで、本実施形態の空気調和機１では、水平フラップ１４４がその向きを向く時間を制限することで、吹き出し口１４３付近に結露することを確実に防止できる。
【００５０】
（６）
本実施形態の空気調和機１は、水平フラップ１４４を用いて室内へ供給される空気の吹き出し方向を制御する。
これにより、垂直フラップの向きを制御する場合と比べて、上下方向の風向きを調整する水平フラップ１４４を用いて制御を行うことで、容易に人の居る方向に向けて空気を吹き出すことができる。
［他の実施形態］
以上、本発明の一実施形態について説明したが、本発明は上記実施形態に限定されるものではなく、発明の要旨を逸脱しない範囲で種々の変更が可能である。
【００５１】
（Ａ）
上記実施形態では、赤外線センサ４４を用いて人の居る方向を感知して、その方向にパワフル運転時の空気調和された空気を吹き出す例を挙げて説明した。しかし、本発明はこれに限定されるものではない。例えば、センサを用いることなく、人の居場所と想定される特定の範囲に向けて空気調和された空気を吹き出してもよい。
【００５２】
また、センサについても、人の居場所を感知できるものであれば赤外線センサに限らず、他のセンサを用いてもよい。
（Ｂ）
上記実施形態では、パワフル運転時に水平フラップ１４４の向きを人の居る方向へ固定する例を挙げて説明した。しかし、本発明はこれに限定されるものではない。例えば、図９（ａ）に示すように、通常の冷房運転時において、略水平方向と水平方向から数度程度下向き方向との間で水平フラップ１４４がスイングしている場合には、パワフル運転時には、図９（ｂ）に示すように、人が居る方向を含むようにスイング範囲を拡張させて水平フラップ１４４をスイングさせてもよい。この場合でも、ユーザはパワフル運転時に吹き出される空気を直接感じることができるため、水平フラップ１４４を人が居る方向に向くように固定する場合と同様に、ユーザにパワフル感を実感させることができる。
【００５３】
（Ｃ）
上記実施形態では、水平フラップ１４４の向きを制御して上下方向で人の居る方向へパワフル運転時に空気調和された空気を室内へ吹き出す例を挙げて説明した。しかし、本発明はこれに限定されるものではない。例えば、垂直フラップを用いて左右方向で風向きを制御してもよいし、垂直フラップと水平フラップ１４４の両方を用いて風向きを制御してもよい。
【００５４】
（Ｄ）
上記実施形態では、冷房時、暖房時にかかわらず、パワフル運転を行うように指示入力された場合には、人に居る方向に空気調和された空気を吹き出すように水平フラップ１４４の向きを制御する例を挙げて説明した。しかし、本発明はこれに限定されるものではない。例えば、冷房時にパワフル運転の指示入力があった場合にのみ、人の居る方向に向かって空気調和された空気を吹き出すように、水平フラップ１４４の向きの制御を制限してもよい。
【００５５】
これにより、冷房時のパワフル運転における冷感をユーザに感じさせて、よりパワフル運転時のパワフル感を実感させることができる。
（Ｅ）
また、上記実施形態では、タイマ４５によってパワフル運転を行う時間を制限している例を挙げて説明した。しかし、本発明はこれに限定されるものではない。例えば、タイマ４５に、パワフル運転中の水平フラップ１４４の向きを固定する時間を設定してもよい。この場合には、パワフル運転中に所定の角度で固定されていた水平フラップ１４４をタイマ４５に設定された制限時間経過後にスイングさせるように制御されていてもよい。
【産業上の利用可能性】
【００５６】
本発明は、パワフル運転時に空気調和された空気の吹き出し方向を制御可能という効果を奏するため、冷房運転時、暖房運転時においてパワフル運転を行うことが可能な空気調和機に適用可能である。
【図面の簡単な説明】
【００５７】
【図１】本発明の一実施形態が採用される空気調和機の外観図。
【図２】冷媒回路の概略図。
【図３】室内機のＡ−Ａ断面図。
【図４】フラップ水平時のＢ部拡大図。
【図５】フラップ下向き時のＢ部拡大図。
【図６】運転停止時のＢ部拡大図。
【図７】制御部を示すブロック図。
【図８】（ａ）は、通常冷房運転時における室内機からの空気の吹き出し方向を示す概略図。（ｂ）は、パワフル冷房運転時における室内機からの空気の吹き出し方向を示す概略図。
【図９】（ａ）は、通常冷房運転時における水平フラップのスイング範囲を示す概略図。（ｂ）は、パワフル冷房運転時における水平フラップのスイング範囲を示す概略図。
【符号の説明】
【００５８】
１          空気調和機
２          室内機
３          室外機
１１        室内熱交換器（空気調和機構）
１２        クロスフローファン（空気調和機構）
１３        ファンモータ
２１        圧縮機（空気調和機構）
４１        ＲＯＭ
４２        ＲＡＭ
４４        赤外線センサ（センサ）
４５        タイマ
６０        制御部
１４３      吹き出し口
１４４      水平フラップ（上下フラップ）
Ｓ          室内
【図１】
2005331240.tif 000003
【図２】
2005331240.tif 000004
【図３】
2005331240.tif 000005
【図４】
2005331240.tif 000006
【図５】
2005331240.tif 000007
【図６】
2005331240.tif 000008
【図７】
2005331240.tif 000009
【図８】
2005331240.tif 000010
【図９】
2005331240.tif 000011